(57)【要約】【課題】ピンシートの交換が容易なテンタークリップを提供することを課題とする。【解決手段】本発明は、シート状の被搬送物を保持して搬送するためのテンタークリップ１０であって、ピン１６が立設されたピンシート１２と、取付面３４を有する取付部３２と、対向面４２を有する相手側部材４０と、取付部３２と相手側部材４０との間にピンシート１２が保持される保持位置Ｐ１とピンシート１２の保持が開放される開放位置Ｐ２とに取付部３２と相手側部材４０との相対位置を変更可能な相対位置変更手段５０と、ピンシート１２と取付面３４とにそれぞれ設けられ、互いに嵌合し、保持位置Ｐ１でピンシート１２と取付部３２との取付面３４に平行な方向の相対移動を阻止する嵌合部１８，３６とを備えることを特徴とする。【選択図】図４
2010149992.tif 000002
【特許請求の範囲】
【請求項１】
シート状の被搬送物の側縁を保持して搬送するためのテンタークリップであって、
複数のピンが立設されたピンシートと、
前記ピンシートを取り付け可能な取付面を有する取付部と、
前記取付面と対向する対向面を有する相手側部材と、
前記取付面が前記対向面と対向するようにして前記相手側部材の下方に前記取付部が位置して当該取付部と当該相手側部材との間に前記ピンシートが保持される保持位置と、前記ピンシートの保持が開放される開放位置とに、前記取付部と前記相手側部材との相対位置を変更可能な相対位置変更手段と、
前記ピンシートと前記取付面とにそれぞれ設けられ、互いに嵌合し、前記保持位置で前記ピンシートと前記取付部との前記取付面に平行な方向の相対移動を阻止する嵌合部とを備えることを特徴とするテンタークリップ。
【請求項２】
前記相対位置変更手段を前記保持位置の状態にロック可能なロック手段を備えることを特徴とする請求項１に記載のテンタークリップ。
【請求項３】
前記相対位置変更手段は、前記相対位置が前記保持位置から前記開放位置へ変更されるように前記取付部又は前記相手側部材を付勢する付勢手段を備え、
前記ロック手段は、前記付勢手段による付勢力に抗して前記相対位置変更手段を前記保持位置の状態にロック可能に構成されることを特徴とする請求項２に記載のテンタークリップ。
【請求項４】
前記相対位置変更手段は、前記取付部を水平軸回りに回動可能な回動部と、前記回動部に設けられた切欠き部とを有し、
前記ロック手段は、前記取付部が前記保持位置のときに前記切欠き部に嵌脱可能に嵌まり込んで前記回動部を係止するように構成されることを特徴とする請求項２又は３に記載のテンタークリップ。
【請求項５】
前記相対位置変更手段は、前記取付部を水平軸回りに回動可能な回動部を有し、この回動部は、前記取付部が前記開放位置のときに前記取付面が当該テンタークリップの先端側を向くように構成されることを特徴とする請求項１乃至３の何れか１項に記載のテンタークリップ。
【請求項６】
前記取付部が前記開放位置のときに前記取付面の下端となる部位に水平方向に延びる突条が設けられることを特徴とする請求項５に記載のテンタークリップ。
【請求項７】
前記相対位置変更手段は、前記保持位置と当該保持位置よりも当該テンタークリップの先端側の位置である開放位置との間において、前記取付部を前記保持位置における姿勢と同一姿勢で且つ前記取付面と平行な方向に往復移動可能に構成されることを特徴とする請求項１乃至３の何れか１項に記載のテンタークリップ。
【請求項８】
前記相対位置変更手段は、前記保持位置と当該保持位置よりも前記相手側部材の対向面が前記取付部の取付面から離れた位置である開放位置との間において、前記相手側部材を往復移動可能に構成されることを特徴とする請求項１乃至３の何れか１項に記載のテンタークリップ。
【発明の詳細な説明】
【技術分野】
【０００１】
本発明は、布帛やフィルム等の各種加工処理に際して、布帛やフィルム等の両側縁を保持して搬送するテンタークリップに関する。
【背景技術】
【０００２】
従来からテンタークリップとして特許文献１に記載のものが知られている。このテンタークリップは、図７に示されるように、複数のピン１０２が立設されたピンシート１０４と、このピンシート１０４を取り付ける取付部１０６を先端に有するクリップ本体１０８とを備える。このテンタークリップ１００では、ピンシート１０４が取付部１０６上に載置された状態で、取付部１０６に設けられた貫通孔１１０を通して下方側からネジ１１２がピンシート１０４のネジ穴１１４に螺入され、当該ピンシート１０４がクリップ本体１０８に固定される。
【０００３】
このテンタークリップ１００は、テンター装置において布帛等のシート状の被搬送物の搬送経路の両側に当該搬送経路に沿って並ぶように配置される。このように配置されたテンタークリップ１００は、クリップ本体１０８先端の取付部１０６に取り付けられたピンシート１０４のピン１０２を被搬送物の側縁に刺し通すことにより当該部位を保持し、この状態で搬送経路に沿って移動することにより当該被搬送物を搬送する。
【特許文献１】特開平５−８６５７０号公報
【発明の開示】
【発明が解決しようとする課題】
【０００４】
前記のテンタークリップ１００では、被搬送物を搬送するためピンシート１０４のピン１０２を被搬送物に刺し通すときに、このピン１０２が折れ、又は曲がる場合がある。この場合、クリップ本体１０８からピンシート１０４を取り外して交換する。このとき、前記テンター装置内には、一般に、余分なスペースがなく、テンター装置に配置された状態のテンタークリップ１００に対する作業が行い難い。そのためピンシート１０４を固定しているネジ１１２を取付部１０６の下面側から工具を用いて取り外し又は締め付ける等の作業が行い難く、ピンシート１０４の交換作業は非常に煩雑となる。
【０００５】
そこで、本発明は、上記問題点に鑑み、ピンシートの交換が容易なテンタークリップを提供することを課題とする。
【課題を解決するための手段】
【０００６】
上記課題を解消すべく、本発明は、シート状の被搬送物の側縁を保持して搬送するためのテンタークリップであって、複数のピンが立設されたピンシートと、前記ピンシートを取り付け可能な取付面を有する取付部と、前記取付面と対向する対向面を有する相手側部材と、前記取付面が前記対向面と対向するようにして前記相手側部材の下方に前記取付部が位置して当該取付部と当該相手側部材との間に前記ピンシートが保持される保持位置と、前記ピンシートの保持が開放される開放位置とに、前記取付部と前記相手側部材との相対位置を変更可能な相対位置変更手段と、前記ピンシートと前記取付面とにそれぞれ設けられ、互いに嵌合し、前記保持位置で前記ピンシートと前記取付部との前記取付面に平行な方向の相対移動を阻止する嵌合部とを備えることを特徴とする。
【０００７】
かかる構成によれば、相対位置変更手段により取付部と相手側部材との相対位置を変更するだけで、ピンシートの交換を容易に行うことができる。具体的に、相対位置変更手段によって前記相対位置を開放位置に変更することによりピンシートの保持が開放されるため当該ピンシートをテンタークリップの取付面上に容易に着脱できる一方、前記相対位置を保持位置に変更することによりピンシートが取付部の取付面上に確実に保持される。詳細には、相対位置変更手段によって前記相対位置が開放位置となるよう変更されることにより、ピンシートの保持が開放された状態となるため、当該ピンシートの着脱の制限が開放され、取付面上へのピンシートの着脱が容易になる。そして、相対位置変更手段によって前記相対位置が保持位置となるように変更されるだけで、ピンシートが取付部と相手側部材との間に保持される。即ち、嵌合状態の嵌合部により取付面に沿った方向へのピンシートの取付部（又は相手側部材）に対する相対移動が阻止されると共に、これに垂直な方向への移動が取付部又は相手方部材により阻止される。これにより取付面上にピンシートが保持される。
【０００８】
本発明に係るテンタークリップにおいては、前記相対位置変更手段を前記保持位置の状態にロック可能なロック手段を備える構成が好ましい。
【０００９】
かかる構成によれば、ロック手段によって相対位置変更手段が保持位置の状態にロックされ、これによりピンシートが取付面上に保持された状態が確実に維持される。
【００１０】
前記相対位置変更手段は、前記相対位置が前記保持位置から前記開放位置へ変更されるように前記取付部又は前記相手側部材を付勢する付勢手段を備え、前記ロック手段は、前記付勢手段による付勢力に抗して前記相対位置変更手段を前記保持位置の状態にロック可能に構成されるのが好ましい。
【００１１】
かかる構成によれば、ロック手段によって、付勢力に抗して相対位置変更手段を保持位置の状態にロックすることができると共に、この状態からロック手段を解錠するだけで付勢手段によって取付部又は相手側部材が移動し前記相対位置が開放位置となる。
【００１２】
また、前記相対位置変更手段は、前記取付部を水平軸回りに回動可能な回動部と、前記回動部に設けられた切欠き部とを有し、前記ロック手段は、前記取付部が前記保持位置のときに前記切欠き部に嵌脱可能に嵌まり込んで前記回動部を係止するように構成されてもよい。
【００１３】
かかる構成によれば、相対位置変更手段の回動部に設けられた切欠き部と、この切欠き部に嵌脱可能に嵌まり込むロック手段とのような簡素な構成により、相対位置変更手段を確実にロックすることができる。
【００１４】
また、前記相対位置変更手段は、前記取付部を水平軸回りに回動可能な回動部を有し、この回動部は、前記取付部が前記開放位置のときに前記取付面が当該テンタークリップの先端側を向くように構成されるのが好ましい。
【００１５】
かかる構成によれば、取付部が開放位置のとき、即ち、テンタークリップのピンシートの着脱の際に取付面が先端側を向くため、テンタークリップの先端側から取付面上へのピンシートの着脱が行い易くなる。
【００１６】
この場合、前記取付部が前記開放位置のときに前記取付面の下端となる部位に水平方向に延びる突条が設けられるのが好ましい。
【００１７】
かかる構成によれば、取付面が先端側に向いている開放位置のときに取付面上のピンシートが突条によって下方側から支えられた状態となるため、回動部により取付部の位置が変更されるとき、即ち、取付部が開放位置から保持位置に回動されるとき、又は保持位置から開放位置に回動されるときにピンシートが取付部から落下し難くなる。その結果、ピンシートの交換作業がより容易になる。
【００１８】
また、前記相対位置変更手段は、前記保持位置と当該保持位置よりも当該テンタークリップの先端側の位置である開放位置との間において、前記取付部を前記保持位置における姿勢と同一姿勢で且つ前記取付面と平行な方向に往復移動可能に構成されてもよい。
【００１９】
かかる構成によっても、相対位置変更手段により取付部の位置を変更するだけで、ピンシートの交換を容易に行うことができる。即ち、相対位置変更手段により取付部を保持位置から開放位置へ同一姿勢で且つ取付面と平行な方向に移動させる（即ち、スライドさせる）ことにより、ピンシートの保持が開放された状態となるため、ピンシートをクリップ本体の取付面上に容易に着脱できる。一方、相対位置変更手段により取付部を開放位置から保持位置へスライドさせることにより、ピンシートが取付部と相手側部材との間に保持されると共に嵌合状態の嵌合部により取付面に沿った方向へのピンシートの取付部（又は相手側部材）に対する相対移動が阻止され、これにより取付面上にピンシートが確実に保持される。
【００２０】
また、前記相対位置変更手段は、前記保持位置と当該保持位置よりも前記相手側部材の対向面が前記取付部の取付面から離れた位置である開放位置との間において、前記相手側部材を往復移動可能に構成されてもよい。
【００２１】
かかる構成によっても、クリップ本体の相対位置変更手段により相手側部材の位置を変更するだけで、ピンシートの交換を容易に行うことができる。即ち、相対位置変更手段により相手側部材を保持位置から開放位置へ移動させることにより、取付面と対向面との間隔が広がり、この間からピンシートをクリップ本体の取付面上に容易に着脱できる。一方、相対位置変更手段により相手側部材を開放位置から保持位置へ移動させることにより、ピンシートが取付部と相手側部材との間に保持されると共に嵌合状態の嵌合部により取付面に沿った方向へのピンシートの取付部（又は相手側部材）に対する相対移動が阻止され、これにより取付面上にピンシートが確実に保持される。
【発明の効果】
【００２２】
以上より、本発明によれば、ピンシートの交換が容易なテンタークリップを提供することができる。
【発明を実施するための最良の形態】
【００２３】
以下、本発明の第１実施形態について、添付図面を参照しつつ説明するが、本実施形態のテンタークリップの説明の前に、当該テンタークリップが配置されるテンター装置の概略について説明する。
【００２４】
テンター装置は、布帛（シート状の被搬送物）の乾燥処理工程等で用いられる装置であり、長尺の布帛を幅方向に張設した状態で長手方向に搬送する装置である。このテンター装置は、図１に示されるように、布帛の搬送経路に沿ってその両側に配設された一対の無端状の伝動部材であるチェーン２と、このチェーン２を循環移動させる駆動手段４と、チェーン２に取り付けられる複数のテンタークリップ１０とを備える。
【００２５】
複数のテンタークリップ１０は、それぞれ先端を布帛６の搬送経路に向けた状態で当該搬送経路に沿って等間隔に並ぶようにチェーン２に取り付けられている。そして、搬送経路を挟んで両側の各テンタークリップ１０が搬送経路の一方側端部（図１においては上端部）で布帛６の両側縁をそれぞれ保持し、この状態のテンタークリップ１０がチェーン２の循環移動に伴って搬送経路に沿って移動し、搬送経路の他方側端部（図１においては下端部）で保持していた布帛６を開放することにより、長尺の布帛６が幅方向に張設された状態で搬送される。
【００２６】
次に、テンタークリップについて図２及び図３も参照しつつ説明する。
【００２７】
このテンタークリップ１０は、複数のピン１６が立設されたピンシート１２と、このピンシート１２が取り付けられるクリップ本体３０とを備える。
【００２８】
ピンシート１２は、テンタークリップ１０の先端に位置し、布帛６の側縁にピン１６を刺し通して当該部位を保持するのに用いられる。このピンシート１２は、板状のシート本体１４と、このシート本体１４に立設されるピン１６とを有する。シート本体１４は、クリップ本体３０に取り付けられる矩形の板状体であり、長手方向両端部にはシート側嵌合部１８が設けられている。このシート側嵌合部１８は、本実施形態では、シート本体１４をその厚さ方向に貫通する貫通孔により構成されている。
【００２９】
ピン１６は、前記のように搬送する布帛６の側縁（いわゆる耳部）を刺し通すためのものであり、複数のピン１６がシート本体１４に立設される。具体的には、シート本体１４の幅方向の一方側端部（以下、「先端側端部」と称する。）１４ａにおいてシート本体１４の長手方向に沿って並ぶように立設されている。本実施形態では、複数のピン１６が前記長手方向に沿って等間隔に並ぶ列が２列設けられている。各ピン１６は、シート本体１４に対して直交方向よりも僅かに後端側端部（シート本体の幅方向における先端側端部１４ａと反対側）１４ｂに向って傾斜している（図４（ｂ）及び図４（ｃ）参照）。ピン１６を布帛６に刺し通したときには、当該布帛６がその幅方向に（クリップ本体３０の先端側に向かって）張力がかかるが、この傾斜により、ピン１６から布帛６が外れ難くなる。
【００３０】
クリップ本体３０は、チェーン２側を向く後端部３０ｃと、この後端部３０ｃの一方側（先側）につながる台座部３０ｂと、この台座部３０ｂの先側につながる本体先端部３０ａとを有する。後端部３０ｃには、テンター装置の無端状のチェーン２（図１参照）を上下から挟むようにして当該チェーン２に当該クリップ本体３０を固定する固定部７０が設けられる。この固定部７０によりクリップ本体３０がチェーン２に固定されることにより、当該テンタークリップ１０は、テンター装置において、布帛を搬送するときに固定部７０と反対の端部側（先端側）が布帛の搬送経路側の方向を向くように配置される。台座部３０ｂは、その上端に平面部を有し、この平面部に相手側部材４０が取り付けられる。本体先端部３０ａは、台座部３０ｂよりも一段下がった位置で前方に延びている部位であり、クリップ本体３０の幅方向に間隔をおいた一対の支持部材３１により構成されている。この本体先端部３０ａには、取付部３２と相対位置変更手段５０とが配置される。
【００３１】
取付部３２は、相対位置変更手段５０により保持位置Ｐ１と開放位置Ｐ２との間を移動可能に構成されている。この保持位置Ｐ１は、テンター装置によって駆動されるときの位置であり（図４（ｃ）参照）、開放位置Ｐ２は、取付面３４に対してピンシート１２が着脱可能な位置である（図４（ａ）参照）。本実施形態では、取付部３２が保持位置Ｐ１のときは取付面３４が上方を向き、開放位置Ｐ２のときは取付面３４がクリップ本体３０の先端側を向く。
【００３２】
取付部３２は、取付面３４が形成された板状の部位であり、この取付面３４には、ピンシート１２が当該取付面３４上に載置されたときに、ピンシート１２（シート本体１４）のシート側嵌合部１８と嵌合する面側嵌合部３６が設けられている。この面側嵌合部３６と前記のシート側嵌合部１８とは、互いに嵌合し、取付部３２が保持位置Ｐ１のときにピンシート１２と取付部３２との取付面３４に平行な方向の相対移動を阻止する。本実施形態では、面側嵌合部３６は、ピンシート１２のシート本体１４に設けられた貫通孔（シート側嵌合部）１８と対応する位置に設けられ、この貫通孔１８に嵌入される位置決めピン３６により構成されている。
【００３３】
また、取付部３２の取付面３４には突条３８が設けられている。この突条３８は、取付部３２が開放位置Ｐ２のときに取付面３４の下端となる部位において水平方向に延びている。具体的に、突条３８は、取付部３２の長手方向に延びるように設けられており、取付面３４から面側嵌合部３６と同じ向きに突出している。
【００３４】
相手側部材４０は、取付部３２が保持位置Ｐ１のときにこの取付部３２の取付面３４と対向する対向面４２を有する。この相手側部材４０は、取付部３２が保持位置Ｐ１のときに、取付面３４に取り付けられたピンシート１２の当該取付面３４からの離間を制限する。本実施形態では、取付部３２が保持位置Ｐ１のときに取付面３４に取り付けられたピンシート１２の上方への移動を制限する。具体的に、相手側部材４０は、板状の部材であり、その先端部がクリップ本体３０の先端側へ向って突出するようにクリップ本体３０の台座部３０ｂの上面にネジＮにより固定されている。この相手側部材４０における台座部３０ｂから突出した先端部の下端には、対向面４２が設けられる。この対向面４２がピンシート１２におけるシート本体１４の後端側端部１４ｂの上方に位置し、ピンシート１２が上方へ移動しようとしたときにこの対向面４２に当接することにより、当該ピンシート１２の上方への移動が制限される。
【００３５】
相対位置変更手段５０は、取付面３４と対向面４２とが対向するようにして相手側部材４０の下方に取付部３２が位置する保持位置Ｐ１と、取付面３４と対向面４２とが対向せずピンシート１２の取付面３４からの着脱が可能になる開放位置Ｐ２とに、取付部３２を移動可能に構成される。具体的に、相対位置変更手段５０は、取付部３２を保持位置Ｐ１と開放位置Ｐ２との間で回動可能に構成される。そして、相対位置変更手段５０は、取付部３２を回動させたときに相手側部材４０と干渉することがなく、且つ取付部３２が保持位置Ｐ１のときに取付部３２の取付面４２を通る平面と対向面４２を通る平面との間隔がシート本体１４の厚みよりも小さくなるように当該取付部３２を回動可能に構成される。この相対位置変更手段５０は、第１の水平軸５２と、この第１の水平軸５２回りに取付部３２を回動可能な回動部５４と、この回動部５４に設けられた切欠き部５４ａとを有する。さらに、相対位置変更手段５０は、保持位置Ｐ１から開放位置Ｐ２へ向けて取付部３２を付勢する付勢手段５６も有する。
【００３６】
第１の水平軸５２は、クリップ本体３０の本体先端部３０ａに設けられている。具体的には、第１の水平軸５２は、本体先端部３０ａを構成する一対の支持部材３１間に架設され、クリップ本体３０の幅方向に沿って且つ水平に延びる軸部材である。
【００３７】
回動部５４は、取付部３２に接続され、第１の水平軸５２に回動可能に取り付けられている。この回動部５４が第１の水平軸５２回りに一方の方向に回動することによって、取付部３２が開放位置Ｐ２に移動し、この位置で取付面３４がクリップ本体３０の先端側を向く（図４（ａ）参照）。一方、回動部５４が開放位置Ｐ２から第１の水平軸５２回りに他方の方向に回動することによって取付部３２が保持位置Ｐ１に移動し、この位置で取付面３４が上方に位置する相手側部材４０の対向面４２と対向する方向を向く（図４（ｃ）参照）。
【００３８】
切欠き部５４ａは、取付部３２の回動に伴って回動し、取付部３２が保持位置Ｐ１のときにロック手段６０の係止部６２ａが嵌まり込むような位置に設けられている（図４（ｃ）参照）。具体的には、切欠き部５４ａは、回動部５４の外周部から回動中心側（第１の水平軸５２側）に向って凹んでいる。この凹部（切欠き部５４ａ）は、ロック手段６０の係止部６２ａが嵌まり込むことで、当該係止部６２ａに当接することにより回動部５４が係止される当接面を含んでいる。
【００３９】
付勢手段５６は、本実施形態では、ねじりコイルばねによって構成されている。この付勢手段（ねじりコイルばね）５６は、第１の水平軸５２の周囲を囲うように配設され、一端が回動部５４（取付部３２）に固定され、他端がクリップ本体３０の本体先端部３０ａ（支持部材３１）に固定されている。付勢手段５６がこのように配置されることにより、取付部３２が保持位置Ｐ１から開放位置Ｐ２へ向う方向（図４（ｃ）において反時計回り）に付勢される。
【００４０】
ロック手段６０は、付勢手段５６による付勢力に抗して取付部３２が保持位置Ｐ１の状態の回動部５４をロック可能に構成されるものであり、このロック手段６０は、第２の水平軸６４と、この第２の水平軸６４回りに回動可能なロック本体部６６と、このロック本体部６６を付勢するロック用付勢手段６８とを備える。
【００４１】
第２の水平軸６４は、クリップ本体３０の本体先端部３０ａにおいて、第１の水平軸５２と平行に設けられている。この第２の水平軸６４も、本体先端部３０ａを構成する一対の支持部材３１間に架設され、クリップ本体３０の幅方向に沿って且つ水平に延びる軸部材である。
【００４２】
ロック本体部６６は、取付部３２が保持位置Ｐ１のときに回動部５４の切欠き部５４ａに嵌脱可能に嵌まり込む係止部６２ａと、回動部５４のロックを解除するときに係止部６２ａを引き起こす際に指等を掛けることができる突起部６２ｂとを有する。
【００４３】
ロック用付勢手段６８は、ロック本体部６６を第２の水平軸６４回りに当該ロック本体部６６の係止部６２ａが常に回動部５４に押し当てられる方向（図４（ａ）においては、時計回り）に付勢する。
【００４４】
このように構成されるテンタークリップ１０では、以下のようにしてピンシート１２がクリップ本体３０に取り付けられ、又は外される。
【００４５】
先ず、取付部３２が保持位置Ｐ１の場合は、ロック本体部６６の突起部６２ｂに指を掛けてロック本体部６６を第２の水平軸６４回りに回動させる。そうすると、係止部６２ａが起き上がって、嵌まり込んでいた切欠き部５４ａから外れる。このようにしてロック手段６０が解除されると、付勢手段５６の付勢力により、回動部５４が第１の水平軸５２回りに回動して取付部３２が保持位置Ｐ１から開放位置Ｐ２に移動（回動）する。
【００４６】
取付部３２が開放位置Ｐ２の状態（図４（ａ）参照）でピンシート１２が取付面３４に載置される。このとき、テンター装置に配置されたテンタークリップ１０では、取付部３２が開放位置Ｐ２に移動すると、取付面３４が布帛の搬送経路側を向くため、ピンシート１２の取付面３４への着脱が容易になる。具体的に、テンター装置内では、テンタークリップは、その先端を布帛の搬送経路側に向けて配置される。そして、テンター装置内には、種々の装置が配置されており、布帛の搬送経路としての空間以外には空間が少ない。そのため、取付部３２が開放位置Ｐ２のときに取付面３４が布帛の搬送経路に向くことにより、当該搬送経路側からピンシート１２の着脱作業を行うことができるため、当該作業が行い易くなる。
【００４７】
ピンシート１２が取付面３４に載置されるときに、当該ピンシート１２のシート側嵌合部（貫通孔）１８に取付面３４の面側嵌合部（位置決めピン）３６が嵌入するようにピンシート１２が取付面３４に取り付けられる。
【００４８】
ピンシート１２が取付面３４に取り付けられた状態（図４（ｂ）参照）で、取付部３２が開放位置Ｐ２から保持位置Ｐ１へ回動させられる。このとき、取付部３２が保持位置Ｐ１から開放位置Ｐ２へ移動するように付勢手段５６によって回動部５４が常に付勢されているため、この付勢力に抗しつつ取付部３２が回動させられる。
【００４９】
このようにして取付部３２が保持位置Ｐ１、即ち、取付面３４が上方を向いて相手側部材４０の対向面４２と対向する位置に到達すると、取付部３２の回動に伴って回動した切欠き部５４ａにロック本体部６６の係止部６２ａが嵌まり込む。このとき、ロック本体部６６の係止部６２ａは、ロック用付勢手段６８によって常に回動部５４の外周部に押し付けられるように付勢されているため、係止部６２ａの位置に切欠き部５４ａが回動してくると、前記付勢力によって係止部６２ａが切欠き部５４ａに嵌め込まれる。このように切欠き部５４ａに係止部６２ａが嵌まり込むことにより回動部５４は、係止される。
【００５０】
このとき、上方を向いた取付面３４上には、ピンシート１２が取り付けられており、取付面３４と当該取付面３４と対向する対向面４２との間にシート本体１４（詳細には、シート本体１４の後端側端部１４ｂ）が位置する状態となる。この状態では、ピンシート１２は、対向面４２によって上方への移動が制限された状態となっている。しかも、シート本体１４のシート側嵌合部（貫通孔）１８と取付面３４の面側嵌合部（位置決めピン）３６とが互いに嵌合しているため、ピンシート１２と取付部３２との取付面３４に平行な方向の相対移動が阻止される。このようにピンシート１２の各方向への移動が制限されることにより、取付面３４上にピンシート１２が保持される（図４（ｃ）参照）。
【００５１】
ピンシート１２をクリップ本体３０から取り外すときには、ロック手段６０を解除するだけで取付部３２が開放位置Ｐ２に回動し、ピンシート１２の保持が開放されてピンシート１２を取り外すことが可能となる。
【００５２】
以上のようなテンタークリップ１０では、クリップ本体３０の相対位置変更手段５０により取付部３２の位置を変更する（回動させる）だけで、ピンシート１２の交換を容易に行うことができる。即ち、相対位置変更手段５０によって取付部３２の開放位置Ｐ２に変更することによりピンシート１２の保持が開放されるため当該ピンシート１２をクリップ本体３０の取付面上に容易に着脱できる一方、取付部３２を保持位置Ｐ１に変更することによりピンシート１２が取付部３２の取付面３４上に確実に保持される。
【００５３】
詳細には、相対位置変更手段５０によって取付部３２が開放位置Ｐ２となるよう変更されることにより、ピンシート１２の保持が開放された状態となるため、当該ピンシート１２の着脱の制限が開放され、取付面３４上へのピンシート１２の着脱が容易になる。そして、相対位置変更手段５０によって取付部３２が保持位置Ｐ１となるように変更されるだけで、ピンシート１２が取付部３２と相手側部材４０との間に保持される。即ち、嵌合状態のシート本体１４のシート側嵌合部１８と取付面３４の面側嵌合部３６とにより取付面３４に沿った方向へのピンシート１２の取付部３２（又は相手側部材４０）に対する相対移動が阻止されると共に、これに垂直な方向への移動を取付部３２又は相手側部材４０により阻止される。これにより取付面３４上にピンシート１２が保持される。
【００５４】
テンタークリップ１０にロック手段６０が設けられることで、取付部３２が保持位置Ｐ１にロックされ、これによりピンシート１２が取付面３４上に保持された状態が確実に維持される。
【００５５】
さらに、テンタークリップ１０に回動部５４を付勢する付勢手段５６及びロック手段６０が設けられることにより、付勢力に抗して取付部３２を保持位置Ｐ１に確実にロックすることができると共にこの状態からロック手段６０を開錠するだけで付勢手段５６によって取付部３２を開放位置Ｐ２に容易に移動することができる。
【００５６】
また、本実施形態によれば、相対位置変更手段５０の回動部５４に設けられた切欠き部５４ａと、この切欠き部５４ａに嵌脱可能に嵌まり込むロック手段６０（係止部６２ａ）とのような簡素な構成により、相対位置変更手段５０を確実にロックすることができる。
【００５７】
また、取付部３２が開放位置Ｐ２のときに取付面３４が当該クリップ本体３０の先端側を向くように当該取付部３２を回動可能に構成することにより、ピンシート１２のクリップ本体３０への着脱の際に取付面３４が先端側を向くため、先端側から取付面３４へのピンシート１２の着脱作業が行い易くなる。これにより、テンター装置にテンタークリップ１０が配置された状態においてもピンシート１２の交換が行い易くなる。
【００５８】
即ち、テンター装置において、テンタークリップ１０が配置されている位置の上下位置には各種装置が配置されているため、上下方向からテンタークリップ１０に対する作業が行い難い。しかし、テンター装置において、テンタークリップ１０の先端側には布帛６を搬送するための搬送経路（搬送空間）が確保されているため、この方向からテンタークリップ１０に対して作業を行うことにより、他の方向からテンタークリップ１０に対して作業を行うよりも容易に行える。そのため、ピンシート１２の取付面３４への着脱の際に、テンタークリップ１０の先端側に取付面３４が向くように構成されることにより、当該テンタークリップ１０がテンター装置に配置された状態であってもピンシート１２の交換作業を容易に行うことができる。
【００５９】
また、取付部３２が開放位置Ｐ２のときに取付面３４の下端となる部位に水平方向に延びる突条３８が設けられることにより、取付部３２の回動の際に、当該取付部３２からピンシート１２が落下し難くなる。即ち、取付部３２が開放位置Ｐ２のときに取付面３４に取り付けられたピンシート１２が突条３８によって下方側から支えられた状態となるため（図４（ｂ）参照）、回動部５４により取付部３２を開放位置Ｐ２から保持位置Ｐ１に回動させ、又は保持位置Ｐ１から開放位置Ｐ２に回動させるときにピンシート１２が取付部３２から落下し難くなる。その結果、ピンシート１２の交換作業がより容易になる。
【００６０】
次に、本発明の第２実施形態について図５（ａ）乃至図５（ｃ）も参照しつつ説明するが、上記第１実施形態と同様の構成には同一符号を用いると共に詳細な説明を省略し、異なる構成ついてのみ詳細に説明する。
【００６１】
本実施形態に係るテンタークリップ１０ａは、第１実施形態同様にピンシート１２とクリップ本体３０とを備える。そして、このクリップ本体３０は、取付部３２と、相手側部材４０と、相対位置変更手段１５０とを有する。
【００６２】
相対位置変更手段１５０は、取付部３２を保持位置Ｐ１と開放位置Ｐ３との間で移動させるように構成される。ここで、開放位置Ｐ３は、保持位置Ｐ１における取付部３２を同一姿勢で且つクリップ本体３０の先端側に向って取付面３４と平行な方向に移動させた位置である（図５（ａ）参照）。この相対位置変更手段１５０は、一対のガイド部材７２を有する。
【００６３】
一対のガイド部材７２は、クリップ本体３０の本体先端部３０ａに支持部材７４を介して取り付けられ、取付部３２を前後方向にスライド可能に保持するものである。具体的に、一対のガイド部材７２は、取付部３２の両側部をスライド可能に保持し、この取付部３２を保持位置Ｐ１と開放位置Ｐ３との間でスライド可能に構成される。
【００６４】
また、相対位置変更手段１５０は、付勢手段（図示省略）も有し、この付勢手段は、ガイド部材７２に保持される取付部３２を保持位置Ｐ１から開放位置Ｐ３へ移動させるように付勢する。さらに、相対位置変更手段１５０は、ロック手段（図示省略）も有し、このロック手段は、付勢手段による付勢力に抗して保持位置Ｐ１に位置する取付部３２をロック可能に構成される。
【００６５】
このように構成されるテンタークリップ１０ａでは、以下のようにしてピンシート１２がクリップ本体３０に取り付けられる。
【００６６】
先ず、取付部３２が保持位置Ｐ１の場合は、ロック手段が解除され、付勢手段の付勢力により取付部３２が一対のガイド部材７２に案内されて、保持位置Ｐ１から開放位置Ｐ３へ取付部３２が移動（スライド）する。
【００６７】
取付部３２が開放位置Ｐ３の状態（図５（ａ）参照）で、シート側嵌合部１８と面側嵌合部３６とが嵌合するようにピンシート１２が取付面３４に取り付けられる。
【００６８】
そして、ピンシート１２が取付面３４に取り付けられた状態（図４（ｂ）参照）で、取付部３２が開放位置Ｐ３から保持位置Ｐ１へスライドさせられる。このとき、取付部３２が保持位置Ｐ１から開放位置Ｐ３へ移動するように付勢手段によって常に付勢されているため、この付勢力に抗しつつ取付部３２がスライドさせられる。
【００６９】
このようにして取付部３２が保持位置Ｐ１に到達すると、取付部３２がロック手段によりロックされる。このとき、第１実施形態同様に、上方を向いた取付面３４上のピンシート１２が取付面３４と当該取付面３４と対向する対向面４２との間に位置する状態となり、取付面３４上にピンシート１２が保持される（図５（ｃ）参照）。
【００７０】
以上のような、取付部３２をその姿勢を維持しつつスライドさせるよう構成されるテンタークリップ１０ａでも、第１実施形態同様に、クリップ本体３０の相対位置変更手段１５０により取付部３２の位置を変更するだけで、ピンシート１２の交換を容易に行うことができる。即ち、相対位置変更手段１５０により取付部３２を保持位置Ｐ１から開放位置Ｐ３へ同一姿勢で水平方向にスライドさせることにより、ピンシート１２の保持が開放された状態となるため、ピンシート１２をクリップ本体３０の取付面３４上に着脱できる。一方、相対位置変更手段１５０により取付部３２を開放位置Ｐ３から保持位置Ｐ１へスライドさせることにより、ピンシート１２が取付部３２と相手側部材４０との間に保持されると共に嵌合状態のシート側嵌合部１８及び面側嵌合部３６により取付面３４に沿った方向へのピンシート１２の取付部３２（又は相手側部材４０）に対する相対移動が阻止され、これにより取付面３４上にピンシート１２が保持される。
【００７１】
また、テンタークリップ１０ａに取付部３２を付勢する付勢手段及びロック手段が設けられることにより、付勢力に抗して取付部３２を保持位置Ｐ１に確実にロックすることができる共に、この状態からロック手段を開錠するだけで付勢手段によって取付部３２を開放位置Ｐ３に容易に移動することができる。
【００７２】
次に、本発明の第３実施形態について図６（ａ）乃至図６（ｃ）も参照しつつ説明するが、上記第１及び第２実施形態と同様の構成には同一符号を用いると共に詳細な説明を省略し、異なる構成ついてのみ詳細に説明する。
【００７３】
本実施形態に係るテンタークリップ１０ｂは、第１及び第２実施形態同様にピンシート１２とクリップ本体３０とを備える。そして、このクリップ本体３０は、取付部３２と、相手側部材２４０と、相対位置変更手段２５０とを有する。
【００７４】
相手側部材２４０は、相対位置変更手段２５０により保持位置Ｐ１と開放位置Ｐ４との間を移動可能に構成されている。この開放位置Ｐ４は、保持位置Ｐ１よりも相手側部材２４０の対向面４２が取付部３２の取付面３４から離れた位置である（図６（ａ）参照）。具体的には、開放位置Ｐ４は、保持位置Ｐ１における相手側部材４０を同一姿勢で且つクリップ本体３０（台座部３０ｂ）の垂直上方へ移動させた位置である（図６（ａ）参照）。
【００７５】
相対位置変更手段２５０は、本実施形態では、相手側部材４０を保持位置Ｐ１と開放位置Ｐ４との間で移動させることにより、取付部３２と相手側部材４０との相対位置を変更する。この相対位置変更手段２５０は、付勢手段７６とロック手段（図示せず）とを有する。
【００７６】
付勢手段７６は、クリップ本体３０の台座部３０ｂと相手側部材２４０とを接続し、自然状態で相手側部材２４０が開放位置Ｐ４となるように相手側部材２４０を支持する。この付勢手段７６は、相手側部材２４０が保持位置Ｐ１から開放位置Ｐ４に移動するように相手側部材２４０を付勢する。本実施形態では、付勢手段７６は、コイルバネにより構成されている。このコイルバネ（付勢手段７６）は、一端が台座部３０ｂに固定され、他端が相手側部材４０に固定されている。ロック手段は、付勢手段７６による付勢力に抗して保持位置Ｐ１に位置する相手側部材２４０をロック可能に構成される。尚、本実施形態において、取付部３２は、取付面３４が上方を向くように支持部材７８を介してクリップ本体３０の本体先端部３０ａに固定されている。
【００７７】
このように構成されるテンタークリップ１０ｂでは、以下のようにしてピンシート１２がクリップ本体３０に取り付けられる。
【００７８】
先ず、相手側部材２４０が保持位置Ｐ１の場合は、ロック手段が解除され、付勢手段７６の付勢力により、保持位置Ｐ１から開放位置Ｐ４へ相手側部材２４０が移動する。
【００７９】
相手側部材２４０が開放位置Ｐ４の状態（図６（ａ）参照）となることで間隔が大きくなった取付部３２と相手側部材２４０との間から、ピンシート１２が取付面３４に取り付けられる。
【００８０】
そして、ピンシート１２が取付面３４に取り付けられた状態（図６（ｂ）参照）で、相手側部材２４０が開放位置Ｐ４から保持位置Ｐ１へ押し下げられる。このとき、相手側部材２４０が保持位置Ｐ１から開放位置Ｐ４へ移動するように付勢手段７６によって常に付勢されているため、この付勢力に抗しつつ相手側部材２４０が押し下げられる。
【００８１】
このようにして相手側部材２４０が保持位置Ｐ１に到達すると、この相手側部材２４０がロック手段によりロックされる。このとき、第１及び第２実施形態同様に、上方を向いた取付面３４上のピンシート１２が取付面３４と当該相手側部材２４０の対向面４２との間に位置する状態となり、取付面３４上にピンシート１２が保持される（図６（ｃ）参照）。
【００８２】
ピンシート１２をクリップ本体３０から取り外すときには、ロック手段を解除するだけで相手側部材４０が開放位置Ｐ４に上昇し、ピンシート１２の保持が開放されてピンシート１２を取り外すことが可能となる。
【００８３】
以上のような、相手側部材２４０を押し下げるよう構成されるテンタークリップ１０ａでは、相対位置変更手段２５０により相手側部材４０の位置を変更するだけで、ピンシート１２の交換を容易に行うことができる。即ち、相対位置変更手段２５０により相手側部材２４０を保持位置Ｐ１から開放位置Ｐ４へ上昇させることにより、取付面３４と対向面４２との間隔が大きくなってピンシート１２の保持が開放された状態となるため、ピンシート１２をクリップ本体３０の取付面３４上に着脱できる。一方、相対位置変更手段２５０により相手側部材２４０を開放位置Ｐ４から保持位置Ｐ１へ押し下げることにより、ピンシート１２が取付部３２と相手側部材４０との間に保持されると共に嵌合状態のシート側嵌合部１８及び面側嵌合部３６により取付面３４に沿った方向へのピンシート１２の取付部３２（又は相手側部材４０）に対する相対移動が阻止され、これにより取付面３４上にピンシート１２が保持される。
【００８４】
また、テンタークリップ１０ｂに相手側部材２４０を付勢する付勢手段７６及びロック手段が設けられることにより、付勢力に抗して相手側部材２４０を保持位置Ｐ１に確実にロックすることができる共に、この状態からロック手段を開錠するだけで付勢手段７６によって相手側部材２４０を開放位置Ｐ４に容易に移動することができる。
【００８５】
尚、本発明のテンタークリップは、上記の第１乃至第３実施形態に限定されるものではなく、本発明の要旨を逸脱しない範囲内において種々変更を加え得ることは勿論である。
【００８６】
相対位置変更手段は、保持位置と開放位置とに取付部３２と相手側部材２４０（又は４０）との相対位置を変更可能な構成であれば、第１乃至第３実施形態の構成に限定されない。例えば、相対位置変更手段は、第１乃至第３実施形態では、取付部３２又は相手側部材２４０の一方を移動させることにより、取付部３２と相手側部材２４０（又は４０）との相対位置を変更しているが、取付部３２と相手側部材２４０（又は４０）との両者を移動させるように構成されてもよい。
【００８７】
取付部３２の回動方向やスライド方向も第１及び第２実施形態の方向に限定されない。例えば、取付部３２がクリップ本体３０の幅方向に取付面３４を向けるように回動し、又は、前記幅方向にスライドするように相対位置変更手段が構成されてもよい。また、取付部３２の移動が回動や水平方向のスライド移動に限定されず、例えば、姿勢を維持した状態で上下に移動可能に相対位置変更手段が構成されてもよい。
【００８８】
また、保持位置におけるピンシートと取付部との取付面に平行な方向の相対移動を阻止する嵌合部も、第１乃至第３実施形態の構成に限定されない。例えば、上記実施形態では、シート本体１４に設けられた貫通孔１８と取付面３４に設けられた位置決めピン３６とにより構成されているが、突条とこれが嵌合する溝部等により構成されてもよい。
【００８９】
また、第１乃至第３実施形態の相対位置変更手段においては、取付部３２又は相手側部材４０を保持位置Ｐ１から開放位置へ移動するように付勢する付勢手段が設けられているが、この付勢手段はなくてもよい。
【図面の簡単な説明】
【００９０】
【図１】第１実施形態に係るテンター装置での布帛の搬送状態を示す概略構成図である。
【図２】同実施形態に係るテンタークリップの斜視図である。
【図３】同実施形態に係るテンタークリップのクリップ本体からピンシートを外した状態の分解斜視図である。
【図４】同実施形態に係るテンタークリップのクリップ本体の取付部にピンシートを保持させる手順を示す図である。
【図５】第２実施形態に係るテンタークリップのクリップ本体の取付部にピンシートを保持させる手順を示す図である。
【図６】第３実施形態に係るテンタークリップのクリップ本体の取付部にピンシートを保持させる手順を示す図である。
【図７】従来のテンタークリップの分解斜視図である。
【符号の説明】
【００９１】
１０   テンタークリップ
１２   ピンシート
１８   シート側嵌合部（貫通孔）
３０   クリップ本体
３２   取付部
３４   取付面
３６   面側嵌合部（位置決めピン）
４０   相手側部材
４２   対向面
５０   相対位置変更手段
Ｐ１   保持位置
Ｐ２   開放位置
【図１】
2010149992.tif 000003
【図２】
2010149992.tif 000004
【図３】
2010149992.tif 000005
【図４】
2010149992.tif 000006
【図５】
2010149992.tif 000007
【図６】
2010149992.tif 000008
【図７】
2010149992.tif 000009